(57)【要約】【課題】ばね部による付勢力が相殺されず、また、余分な力をかけることなく、圧板に所望の荷重を付与することのできる圧板取付構造及びそれを備えたカメラを提供すること。【解決手段】カメラ裏蓋３のフィルムと対向する面に固定されると共に、基部１１から傾斜状に延びるばね部１２と、先端に圧板２を係止する係止部１４を有する圧板支持部１３とを基部１１に一体形成してなる板ばね部材１に、圧板２を係止することによって該圧板２に上記ばね部１２による付勢力を作用させるようにしたカメラの圧板取付構造において、上記圧板支持部１３に、上記裏蓋３との固定部１５Ａ〜１５Ｄを設けたことを特徴とするカメラの圧板取付構造及びこれを備えたカメラ。【選択図】　　　　図１
2004045807.tif 000002
【特許請求の範囲】
【請求項１】
カメラ裏蓋のフィルムと対向する面に固定されると共に、基部から傾斜状に延びるばね部と、先端に圧板を係止する係止部を有する圧板支持部とを基部に一体形成してなる板ばね部材に、圧板を係止することによって該圧板に上記ばね部による付勢力を作用させるようにしたカメラの圧板取付構造において、上記圧板支持部に、上記裏蓋との固定部を設けたことを特徴とするカメラの圧板取付構造。
【請求項２】
圧板支持部における可及的先端側に上記固定部を設けたことを特徴とする請求項１記載のカメラの圧板取付構造。
【請求項３】
圧板支持部における係止部に対応してその近傍に上記固定部を設けたことを特徴とする請求項１記載のカメラの圧板取付構造。
【請求項４】
カメラ裏蓋のフィルムと対向する面に固定されると共に、基部から傾斜状に延びるばね部と、先端に圧板を係止する係止部を有する圧板支持部とを基部に一体形成してなる板ばね部材に、圧板を係止することによって該圧板に上記ばね部による付勢力を作用させるようにしたカメラの圧板取付構造において、上記係止部は、上記フィルム側に向けて折り曲げ加工された第１折曲部と、該第１折曲部に形成された係止穴と、該第１折曲部の先端を上記係止穴の一部を含んで更に外側に向けて折り曲げ加工された第２折曲部とを有してなり、上記圧板は、上記第１係止部の係止穴に嵌合すると共に上記第２折曲部の裏蓋に対向する面と当接する面が形成された係止爪を有してなり、上記圧板の係止爪を上記係止部の係止穴に係止させることで、上記第２折曲部の裏蓋に対向する面で上記圧板のフィルム側への移動ストロークを規制するようにしたことを特徴とするカメラの圧板取付構造。
【請求項５】
上記係止爪は、上記係止穴の幅と同幅に形成されていることを特徴とする請求項４記載のカメラの圧板取付構造。
【請求項６】
請求項１〜５のいずれかに記載のカメラの圧板取付構造を備えたことを特徴とするカメラ。
【発明の詳細な説明】
【０００１】
【発明の属する技術分野】
本発明は、カメラの裏蓋のフィルムと対向する面に取り付けられた板ばね部材に圧板を係止する係止部を形成し、該係止部に圧板を取り付けることによって該圧板に上記板ばね部材による付勢力を作用させるようにしたカメラの圧板取付構造及びそれを備えたカメラに関する。
【０００２】
【従来の技術】
従来の圧板取付構造を図６に示す。図６は圧板を取り外した状態のカメラの裏蓋を内側（カメラ内部側）から見た平面図である。図において、１００は板ばね部材、２００は圧板、３００はカメラの裏蓋をそれぞれ示す。
【０００３】
板ばね部材１００は、裏蓋３００の長さ方向（図示左右方向）に延びる板ばね基部１０１から図示上下の各方向に向けて延びる複数枚のばね部１０２が、その先端側がカメラ内部の図示しないフィルム側（図面の垂直方向）に向けて傾斜状に該板ばね基部１０１に一体形成されている。また、同じく板ばね基部１０１には、図示上下の各方向に向けて延びる複数の圧板支持部１０３が一体形成されている。
【０００４】
各圧板支持部１０３の先端には、後述する圧板２００を係止するための係止部１０４が形成されている。この係止部１０４の構造を図７に示す。係止部１０４は、圧板支持部１０３の先端に係止穴１０４ａが形成されると共に、該係止穴１０４ａの中途部から図示しないフィルム側に向けて折り曲げられて折曲部１０４ｂが形成された略Ｌ字状を呈している。
【０００５】
かかる板ばね部材１００は、その板ばね基部１０１のほぼ中央部が裏蓋３００にかしめ又はビス等の固定手段により固定されている。図６において、符号１０５は板ばね部材１００と裏蓋３００との固定部を示している。
【０００６】
圧板２００の外周縁には、上記各係止部１０４に設けられた係止穴１０４ａに対応するように係止爪２０１が突設されており、この係止爪２０１をそれぞれ対応する係止穴１０４ａに嵌合させて係止させることで、裏蓋３００に取り付けられるようになっている。
【０００７】
図８は、図６において圧板２００を取り付けた状態での（ＶＩＩＩ）−（ＶＩＩＩ）線に沿う断面図である。裏蓋３００に圧板２００を取り付けると、圧板２００の裏面（板ばね部材１００と対向する面）に板ばね部材１００のばね部１０２によるばね力が作用し、圧板２００を図示矢印方向に付勢する。これによってカメラ内部のフィルム背面側を圧板２００の表面によって所定圧で押圧し、フィルムの平面性を維持する。
【０００８】
【発明が解決しようとする課題】
しかし、従来のカメラにおける圧板取付構造には次のような問題点があった。
【０００９】
（１）板ばね部材１００のばね部１０２のばね力により圧板２００を付勢すると、該圧板２００を介して、該圧板２００の各係止爪２０１と係合している係止部１０４を有する各圧板支持部１０３にもばね部１０２による付勢力が作用する。各圧板支持部１０３は、板ばね基部１０１からほぼ面一状に延びているため、この圧板支持部１０３に圧板２００を介してばね部１０２による付勢力が作用すると、各圧板支持部１０３はその付け根の板ばね基部１０１との接続部分を支点として、図８に示すように裏蓋３００から浮き上がった状態となってしまい、各圧板支持部１０３の反力とばね部１０２による付勢力とが相殺されてしまうことにより、圧板２００に所望の荷重を付与することができなくなってしまう。
【００１０】
また、この場合に、圧板２００に所望の荷重をかけようとすると、ばね部１０２のばね力を更に大きくしなくてはならず、圧板２００に余分な力をかけなくてはならない。
【００１１】
（２）各係止部１０４に形成される係止穴１０４ａは、図７に示すように、加工限界により所定寸法ｄ１（０．５〜１ｍｍ）を有する余肉部１０４ｃをその先端側に残さなくては加工することができない。このため、図３（Ｂ）に示すように、圧板２００が裏蓋３００側に押付けられて最も下がった位置にあるとき、折曲部１０４ｂの先端が圧板２００の表面（フィルムと接する面）よりも長く突出しているとフィルムに傷を付けてしまうため、圧板２００の表面が上記折曲部１０４ｂの先端よりもフィルム側に突出するように、圧板２００の裏蓋３００側への移動ストロークを規制する必要がある。一方、圧板２００のフィルム側への移動ストロークは、折曲部１０４の先端に余肉部１０４ｃがあるために、折曲部１０４の高さに比べて移動ストロークを大きくとることができない。
【００１２】
（３）圧板２００を取り付けている係止穴１０４ａは穿孔形成されるが、エンドミル加工や型寿命の関係から、図７に示すように、係止穴１０４ａの隅部には必然的にＲ（アール）が形成される。このような係止穴１０４ａに圧板２００の係止爪２０１を係止させる場合、ばね部１０２による付勢力によって係止爪２０１が係止穴１０４ａの端部まで移動できるようにするため、係止爪２０１の幅は上記Ｒを避けた幅寸法に形成しなくてはならない。従って、図７（Ｂ）に示すように、係止爪２０１は係止穴１０４ａの幅寸法に対して小幅とならざるを得ず、係止爪２０１と係止穴１０４ａとの間に横方向に隙間（ｄ２×２）があくことで、圧板２００に左右のガタツキが発生する原因となる。圧板２００にこのようなガタツキが発生すると、圧板２００が正規の位置にこなかったり、フィルムの給送時にガタで圧板２００がずれてフィルムの平面性が保てなくなるといった問題がある。
【００１３】
そこで、本発明の第１の課題は、ばね部による付勢力が相殺されず、また、余分な力をかけることなく、圧板に所望の荷重を付与することのできる圧板取付構造及びそれを備えたカメラを提供することにある。
【００１４】
また、本発明の第２の課題は、圧板の移動ストロークを大きくとることのできる圧板取付構造及びそれを備えたカメラを提供することにある。
【００１５】
更に、本発明の第３の課題は、左右のガタツキの発生なく圧板を取り付けることのできる圧板取付構造及びそれを備えたカメラを提供することにある。
【００１６】
【課題を解決するための手段】
上記第１の課題を解決する請求項１記載の発明は、カメラ裏蓋のフィルムと対向する面に固定されると共に、基部から傾斜状に延びるばね部と、先端に圧板を係止する係止部を有する圧板支持部とを基部に一体形成してなる板ばね部材に、圧板を係止することによって該圧板に上記ばね部による付勢力を作用させるようにしたカメラの圧板取付構造において、上記圧板支持部に、上記裏蓋との固定部を設けたことを特徴とするカメラの圧板取付構造である。
【００１７】
請求項２記載の発明は、圧板支持部における可及的先端側に上記固定部を設けたことを特徴とする請求項１記載のカメラの圧板取付構造である。
【００１８】
請求項３記載の発明は、圧板支持部における係止部に対応してその近傍に上記固定部を設けたことを特徴とする請求項１記載のカメラの圧板取付構造である。
【００１９】
上記第２の課題を解決する請求項４記載の発明は、カメラ裏蓋のフィルムと対向する面に固定されると共に、基部から傾斜状に延びるばね部と、先端に圧板を係止する係止部を有する圧板支持部とを基部に一体形成してなる板ばね部材に、圧板を係止することによって該圧板に上記ばね部による付勢力を作用させるようにしたカメラの圧板取付構造において、上記係止部は、上記フィルム側に向けて折り曲げ加工された第１折曲部と、該第１折曲部に形成された係止穴と、該第１折曲部の先端を上記係止穴の一部を含んで更に外側に向けて折り曲げ加工された第２折曲部とを有してなり、上記圧板は、上記第１係止部の係止穴に嵌合すると共に上記第２折曲部の裏蓋に対向する面と当接する面が形成された係止爪を有してなり、上記圧板の係止爪を上記係止部の係止穴に係止させることで、上記第２折曲部の裏蓋に対向する面で上記圧板のフィルム側への移動ストロークを規制するようにしたことを特徴とするカメラの圧板取付構造である。
【００２０】
上記第３の課題を解決する請求項５記載の発明は、上記係止爪は、上記係止穴の幅と同幅に形成されていることを特徴とする請求項４記載のカメラの圧板取付構造である。
【００２１】
また、請求項６記載の発明は、請求項１〜５のいずれかに記載のカメラの圧板取付構造を備えたことを特徴とするカメラである。
【００２２】
【発明の実施の形態】
以下、本発明の実施の形態について図面に基づいて詳細に説明する。
【００２３】
図１は圧板を取り外した状態のカメラの裏蓋を内側（カメラ内部側）から見た平面図である。図中、１は板ばね部材、２は圧板、３は裏蓋である。
【００２４】
板ばね部材１は、裏蓋３の長さ方向（図示左右方向）に延びる平板状に形成された板ばね基部１１から図示上下の各方向に向けて伸びる複数枚（図示例では４枚）のばね部１２が、その先端側がカメラ内部の図示しないフィルム側（図面の垂直方向）に向けて傾斜状に一体形成されている。また、図示上側に位置する２枚のばね部１２、１２の間と、図示下側に位置する２枚のばね部１２、１２の間には、それぞれ板ばね基部１１から延びる圧板支持部１３（１３Ａ、１３Ｂ）が一体に形成されている。
【００２５】
各圧板支持部１３の先端には、圧板２を係止することにより取り付けるための係止部１４が設けられている。係止部１４は、図２に示すように、圧板支持部１３の先端側に、圧板２を係止するための係止穴１４ａが形成されると共に、該係止穴１４ａの中途部から図示しないフィルム側に向けてほぼ直角に折り曲げ加工されて第１折曲部１４ｂが形成され、更に該第１折曲部１４ｂの先端側が上記係止穴１４ａの一部を含んで外側（板ばね基部１１と反対側）に向けてほぼ直角に折り曲げ加工されて第２折曲部１４ｃが形成されている。
【００２６】
図１に示す態様では、図示上側に位置している圧板支持部１３Ａには、その先端に１つの係止部１４が設けられており、図示下側に位置している圧板支持部１３Ｂは、その先端側が二股に分かれ、それぞれに上記係止部１４、１４が設けられている。
【００２７】
この板ばね部材１は、裏蓋３に対してかしめ又はビス止め等の固着方法により固定される。図において符号１５Ａ〜１５Ｄはその固定部を示しており、このうち固定部１５Ａ及び１５Ｂは、板ばね基部１１からそれぞれ反対方向に向けて延びる各ばね部１２、１２の間のほぼ中央部における板ばね基部１１に設けられ、固定部１５Ｃ及び１５Ｄは、板ばね基部１１から外れて各圧板支持部１３に設けられている。
【００２８】
圧板２には、上記各圧板支持部１３の先端に設けられた各係止部１４の係止穴１４ａに対応するように係止爪２１が突設されており、各係止爪２１を板ばね部材１のそれぞれ対応する係止穴１４ａに係止させることで、裏蓋３に取り付けられる。
【００２９】
各係止爪２１には、図３（Ａ）に示すように、フィルムに対向する側が平坦面とされて係止部１４の第２折曲部１４ｃの裏面（裏蓋３に対向する面）に当接する平面部２１ａが形成されると共に、該平面部２１ａの裏面側には係止爪２１の先端に向かって傾斜する傾斜部２１ｂが形成されている。圧板２は、係止爪２１が係止部１４上に当接した状態から裏蓋３側に向けて押圧されることで、この傾斜部２１ｂに案内されて係止爪２１が係止穴１４ａ内に嵌合し、板ばね部材１に係止される。
【００３０】
係止部１４の係止穴１４ａは、図２に示すように、穴加工時に隅部にＲ（アール）が形成されるが、この係止部１４は、第１折曲部１４ｂの先端側の第２折曲部１４ｃが上記係止穴１４ａの一部を含んで、詳しくは該係止穴１４ａの先端側２箇所の上記Ｒを含んで外側に向けて折り曲げ加工されているため、図４に示すように、圧板２を最も裏蓋３側に押し込んだ位置から、係止爪２１の平面部２１ａが第２折曲部１４ｃの裏面に当接して圧板２が最もフィルム側に突出する位置までの間の圧板２の移動ストロークＳ１内に上記Ｒ部分が位置することはない。このため、係止爪２１は従来のように隅部のＲを避けて小幅に形成する必要がない。従って、図４に示すように、係止爪２１の幅を係止穴１４ａの幅Ｄ１と同幅に形成することで、圧板２を左右のガタツキの発生なく板ばね部材１に取り付けることができるようになる。なお、この同幅とは、係止爪２１が係止穴１４ａ内を円滑に移動することができる程度に該係止穴１４ａの幅一杯まで形成されることを意味する。
【００３１】
また、係止穴１４ａを穴加工した時に先端に残される余肉部分は、第２折曲部１４ｃによって外側に折り曲げられるため、係止穴１４ａにおいて圧板２の係止爪２１の移動ストロークＳ１の上端（圧板２が最も突出する位置）から係止部１４の最上端（裏蓋３から最も離れた位置）までの距離Ｄ２（図４参照）は、係止部１４を構成している圧板支持部１３の板厚の分だけで済む。従って、圧板２の移動ストロークＳ１を、図３（Ｂ）に示す従来の圧板２００の移動ストロークＳ２に比べて大きくとることができるようになる。このように圧板２の移動ストロークＳ１を大きくとることができることにより、それだけ板ばね部材１のばね部１２の撓み量が十分に確保でき、設計の幅が広がる効果がある。
【００３２】
しかも、圧板２の移動の一端は、係止爪２１の平面部２１ａが第２折曲部１４ｃの裏面に当接することにより面で規制されるため、従来のように折曲部１０４ｂに形成された係止穴１０４ａの加工面のエッジ（図７参照）で規制するものに比べ、安定感を持って圧板２の移動を規制することができると共に、圧板２の係止爪２１を傷付ける心配もない。
【００３３】
以上のようにして板ばね部材１に取り付けられた圧板２は、その裏面側にばね部１２のばね力が作用することによりフィルム側に向けて付勢される。このとき圧板２は、ばね部１２による付勢力によって、その各係止爪２１の平面部２１ａが各係止部１４の第２折曲部１４ｃの裏面に当接するまで移動し、更に該係止部１４を裏蓋３から浮き上がらせようとするが、係止部１４が形成されている各圧板支持部１３Ａ、１３Ｂには、裏蓋３との固定部１５Ｃ、１５Ｄが設けられているため、図５に示すように、各圧板支持部１３（１３Ａ、１３Ｂ）が上記付勢力によって裏蓋３から浮き上がることはない。従って、従来のようにばね部１２のばね力が相殺されてしまうことがなく、また、圧板２に余分な力をかける必要なく、圧板２に板ばね部材１のばね部１２による所望の荷重を付与することができる。
【００３４】
本発明において好ましくは、上記固定部は、圧板支持部１３における可及的先端側に設けることである。図１においては、固定部１５Ｃ、１５Ｄをそれぞれ圧板支持部１３における可及的先端側に設けている。このように、固定部を圧板支持部１３における可及的先端側に設けることで、各圧板支持部１３Ａ、１３Ｂに圧板２を介して付勢力が作用しても、その先端側が裏蓋３から浮き上がろうとする力に対して強い抵抗力を示すようになる。更に、圧板支持部１３Ａにおける固定部１５Ｃのように、各圧板支持部１３の各係止部１４に対応してその近傍に設けると、圧板支持部１３の裏蓋３からの浮き上がりを阻止する効果が最も高いためにより好ましい。
【００３５】
【発明の効果】
請求項１〜３及び６によれば、ばね部による付勢力が相殺されず、また、余分な力をかけることなく、圧板に所望の荷重を付与することのできる圧板取付構造及びそれを備えたカメラを提供することができる。
【００３６】
請求項４及び６によれば、、圧板の移動ストロークを大きくとることのできる圧板取付構造及びそれを備えたカメラを提供することができる。
【００３７】
請求項５及び６によれば、左右のガタツキの発生なく圧板を取り付けることのできる圧板取付構造及びそれを備えたカメラを提供することができる。
【図面の簡単な説明】
【図１】本発明に係る圧板を取り外した状態のカメラの裏蓋を内側から見た平面図
【図２】本発明に係る係止部の構造を示す斜視図
【図３】（Ａ）は本発明に係る圧板と係止部との係止構造を示す部分断面図、（Ｂ）は従来の圧板と係止部との係止構造を示す部分断面図
【図４】図３（Ａ）における（ＩＶ）−（ＩＶ）線に沿う断面図
【図５】圧板を取り付けた状態の図１における（Ｖ）−（Ｖ）線に沿う断面図
【図６】従来の圧板を取り外した状態のカメラの裏蓋を内側から見た平面図
【図７】（Ａ）は従来の係止部の構造を示す斜視図、（Ｂ）はその部分正面図
【図８】圧板を取り付けた状態の図６における（ＶＩＩＩ）−（ＶＩＩＩ）線に沿う断面図
【符号の説明】
１：板ばね部材
１１：板ばね基部
１２：ばね部
１３：圧板支持部
１４：係止部
１４ａ：係止穴
１４ｂ：第１折曲部
１４ｃ：第２折曲部
１５Ａ〜１５Ｄ：固定部
２：圧板
２１：係止爪
２１ａ：平面部
２１ｂ：傾斜部
３：裏蓋
【図１】
2004045807.tif 000003
【図２】
2004045807.tif 000004
【図３】
2004045807.tif 000005
【図４】
2004045807.tif 000006
【図５】
2004045807.tif 000007
【図６】
2004045807.tif 000008
【図７】
2004045807.tif 000009
【図８】
2004045807.tif 000010